(57)【要約】【課題】視聴予約に係る番組の開始にともない再生中のコンテンツが中断される場合に、中断されるまでの時間などを通知する技術が提案されている。しかし、再生を停止するタイミングはユーザに委ねられており、きりの良いところで停止することは容易ではない。【解決手段】そこで、コンテンツ出力部と、チャプター情報を利用して記録メディアを再生してコンテンツ出力部へ出力可能な再生部と、コンテンツ出力部に対して優先出力されるメディアである優先メディアの優先出力スケジュールを管理する管理部と、管理部で管理する優先メディアの出力と、再生部での記録メディア再生とが競合するか判定する判定部と、競合するとの判定結果である場合に競合発生時間直前のチャプターにて記録メディア再生を停止させる制御部と、を有するコンテンツ再生装置を提供する。【選択図】図１
2013123176.tif 000002
【特許請求の範囲】
【請求項１】
コンテンツ出力部と、
チャプター情報を利用して記録メディアを再生してコンテンツ出力部へ出力可能な再生部と、
コンテンツ出力部に対して優先出力されるメディアである優先メディアの優先出力スケジュールを管理する管理部と、
管理部で管理する優先メディアの出力と、再生部での記録メディア再生とが競合するか判定する判定部と、
競合するとの判定結果である場合に競合発生時間直前のチャプターにて記録メディア再生を停止させる制御部と、
を有するコンテンツ再生装置。
【請求項２】
再生部は、記録メディアの再生に対するユーザの操作を検知する操作検知手段を有し、
前記判定部は、操作検知手段により操作が検知された場合には、優先メディアの出力と記録メディア再生とが競合するか判定する操作時判定手段を有する、請求項１に記載のコンテンツ再生装置。
【請求項３】
前記制御部は、優先メディアの出力が終了したときに、再生が停止されたチャプターの次のチャプターから記録メディアを再生させる再生制御手段を有する請求項１又は２に記載のコンテンツ再生装置。
【請求項４】
前記制御部が利用する競合発生直前のチャプターを示す情報に基づいて、競合開始時間の到来までに再生可能なチャプターを表示する再生可能チャプター表示部を有する請求項１から３のいずれか一に記載のコンテンツ再生装置。
【請求項５】
請求項１から４のいずれか一に記載のコンテンツ再生装置を含むテレビジョン受信装置。
【請求項６】
コンテンツ出力部と、チャプター情報を利用して記録メディアを再生してコンテンツ出力部へ出力可能な再生部と、コンテンツ出力部に対して優先出力されるメディアである優先メディアの優先出力スケジュールを管理する管理部と、を有するコンテンツ再生装置を動作させるプログラムであって、
管理部で管理する優先メディアの出力と、再生部での記録メディア再生とが競合するか判定する判定ステップと、
競合するとの判定結果である場合に競合発生時間直前のチャプターにて記録メディア再生を停止させる制御ステップと、を計算機に実行させるプログラム。
【請求項７】
請求項６に記載のプログラムを記憶した記録媒体。
【発明の詳細な説明】
【技術分野】
【０００１】
本発明は、視聴予約などの開始時間の到来により、再生中の記録メディアが停止されるコンテンツ再生装置に関する。
【背景技術】
【０００２】
視聴予約や録画予約をした番組の開始時刻が到来すると、それまで視聴していたコンテンツの再生が唐突に中断されてしまうことがある。例えば、クライマックスシーンで中断された場合には、視聴していたユーザは不快感を覚える。また、中途半端な場面で中断された場合には、後にその場面から視聴を始めたとしても脈絡の把握が難しく、遡って見直す手間が生じたりしてしまう。このような事態に起因してユーザが被る不快感やストレスを軽減するために、例えば、特許文献１に記載の技術が提案されている。
【０００３】
特許文献１には、視聴予約に係る番組の開始にともない再生中のコンテンツが中断される場合には、中断されるまでの時間などをユーザに通知するテレビ放送受信装置が開示されている。これにより、ユーザは中断が生じることを事前に把握することができるという効果を奏する。
【先行技術文献】
【特許文献】
【０００４】
【特許文献１】特開２００８−２６３４５５号公報
【発明の概要】
【発明が解決しようとする課題】
【０００５】
特許文献１のテレビ放送受信装置は、コンテンツの中断を事前に通知することで、唐突に中断されることによる不快感を解消する効果は得られる。しかし、コンテンツを停止するタイミングについては、ユーザ自身が判断して行わなければならない。きりの良いところで中断することは必ずしも容易なことではなく、どこで中断すればよいかを判断するためにユーザはストレスを強いられかねない。
【課題を解決するための手段】
【０００６】
上記課題を解決するための手段として、以下の発明などを提供する。すなわち、第一の発明として、コンテンツ出力部と、チャプター情報を利用して記録メディアを再生してコンテンツ出力部へ出力可能な再生部と、コンテンツ出力部に対して優先出力されるメディアである優先メディアの優先出力スケジュールを管理する管理部と、管理部で管理する優先メディアの出力と、再生部での記録メディア再生とが競合するか判定する判定部と、競合するとの判定結果である場合に競合発生時間直前のチャプターにて記録メディア再生を停止させる制御部と、を有するコンテンツ再生装置を提供する。
【０００７】
第二の発明として、再生部は、記録メディアの再生に対するユーザの操作を検知する操作検知手段を有し、前記判定部は、操作検知手段により操作が検知された場合には、優先メディアの出力と記録メディア再生とが競合するか判定する操作時判定手段を有する、第一の発明に記載のコンテンツ再生装置を提供する。
【０００８】
第三の発明として、前記制御部は、優先メディアの出力が終了したときに、再生が停止されたチャプターの次のチャプターから記録メディアを再生させる再生制御手段を有する第一の発明又は第二の発明に記載のコンテンツ再生装置を提供する。
【０００９】
第四の発明として、制御部が利用する競合発生直前のチャプターを示す情報に基づいて、前記競合開始時間の到来までに再生可能なチャプターを表示する再生可能チャプター表示部を有する第一の発明から第三の発明のいずれか一に記載のコンテンツ再生装置を提供する。
【００１０】
第五の発明として、コンテンツ出力部と、チャプター情報を利用して記録メディアを再生してコンテンツ出力部へ出力可能な再生部と、コンテンツ出力部に対して優先出力されるメディアである優先メディアの優先出力スケジュールを管理する管理部と、を有するコンテンツ再生装置を動作させるプログラムであって、管理部で管理する優先メディアの出力と、再生部での記録メディア再生とが競合するか判定する判定ステップと、競合するとの判定結果である場合に競合発生時間直前のチャプターにて記録メディア再生を停止させる制御ステップと、を計算機に実行させるプログラムを提供する。
【発明の効果】
【００１１】
本発明により、視聴予約などに伴い記録メディアの再生が中断される場合に、視聴予約開始直前のチャプターにて中断することにより、きりの良いところで自動的に再生が停止され、ユーザのストレスを低減することが可能となる。
【図面の簡単な説明】
【００１２】
【図１】実施形態１のコンテンツ再生装置の機能ブロックの一例を示す図
【図２】優先出力スケジュールの一例を示す図
【図３】優先メディアの出力と記録メディア再生との競合を示す概念図
【図４】競合発生時間直前のチャプターにて再生を停止させる具体例を示す図
【図５】実施形態１のコンテンツ再生装置のハードウェア構成の一例を表す図
【図６】実施形態１のコンテンツ再生装置における処理の流れの一例を示すフローチャート
【図７】実施形態２のコンテンツ再生装置の機能ブロックの一例を示す図
【図８】実施形態２のコンテンツ再生装置における処理の流れの一例を示すフローチャート
【図９】実施形態３のコンテンツ再生装置の機能ブロックの一例を示す図
【発明を実施するための形態】
【００１３】
以下、本発明の実施の形態について説明する。なお、本発明は、これらの実施形態に何ら限定されるべきものではなく、その要旨を逸脱しない範囲において、種々なる態様で実施し得る。
【００１４】
実施形態１は、主に請求項１、３、５について説明する。実施形態２は、主に請求項２について説明する。実施形態３は主に請求項４について説明する。
<実施形態１>
<実施形態１  概要>
【００１５】
本実施形態は、記録メディアの再生と視聴予約などとが競合するか否かを判断し、競合する場合には、その競合が生じる直前のチャプターにて記録メディアの再生を停止するコンテンツ再生装置である。これにより、きりの良いところで記録メディアの再生が自動的に停止されユーザのストレスを低減させることができる。
<実施形態１  構成>
【００１６】
本実施形態のコンテンツ再生装置の機能ブロックの一例を図１に示す。コンテンツ再生装置０１００は、コンテンツ出力部０１０１と、再生部０１０２と、管理部０１０３と、判定部０１０４と、制御部０１０５を有する。
【００１７】
ここで、本装置の機能ブロックは、ハードウェア、ソフトウェア、またはハードウェアおよびソフトウェアの両方として実現され得る。具体的には、コンピュータを利用するものであれば、ＣＰＵやＲＡＭ、バス、あるいは補助記憶装置（不揮発性メモリ、メモリカードなどの記憶メディアとそれらメディアのリーダライタなど）、表示装置、その他の外部周辺装置などのハードウェア構成部やその外部周辺機器用のＩ／Ｏポート、それらハードウェアを制御するためのドライバプログラムやその他アプリケーションプログラム、情報入力に利用されるユーザインターフェイスなどが挙げられる。
【００１８】
また、これらハードウェアやソフトウェアは、ＲＡＭ上に展開したプログラムをＣＰＵで演算処理したり、メモリやハードディスク上に保持されているデータや、インターフェイスを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、および同製品を記憶媒体に固定した記憶媒体も、当然にこの発明の技術的な範囲に含まれる（本明細書の全体を通じて同様である）。
【００１９】
コンテンツ出力部０１０１は、コンテンツを出力する機能を有する。コンテンツには、テレビ放送に係るコンテンツや、ハードディスクやＤＶＤなどの記録媒体に記録されているコンテンツなどがある。コンテンツ出力部は、これらのコンテンツの映像や音声などをディスプレイなどの表示装置を介して出力する。
【００２０】
再生部０１０２は、チャプター情報を利用して記録メディアを再生してコンテンツ出力部へ出力する機能を有する。「記録メディア」とは、情報を記録することが可能な媒体全般を広く含む意味であり、その大きさ、形状、記録方法、等は問わない。具体的には、例えばハードディスク、半導体メモリ、光ディスクなどが挙げられる。これらの記録メディアを再生するための装置は、コンテンツ再生装置が内蔵する場合の他、有線もしくは無線による通信によって接続される装置であってもよい。
【００２１】
「チャプター情報」とは、コンテンツを所定の区間で区切るための情報である。例えば、映画や音楽が収められている記録メディアであれば、場面の転換や楽曲の切替などに応じてチャプターが区切られている。また、テレビ番組を録画した場合には、ＣＭが挿入されるタイミングでチャプターが区切られたりする。チャプター情報としては、一のコンテンツが１０のチャプターから構成されているとすれば、例えば、最初のチャプターである「１０−１」から最後のチャプターである「１０−１０」までの各チャプターにおける、コンテンツの先頭を基準とした開始時間及び終了時間などである。
【００２２】
「チャプター情報を利用する」とは、例えば、予めコンテンツが収められている記録メディアに設定されているチャプター情報を取得して再生が可能であることである。あるいは、テレビ放送を録画する際に、ＣＭの挿入タイミングでチャプターを構成しながら録画
することが可能であり、そのチャプター単位で再生等を行い得ることなどをいう。
【００２３】
管理部０１０３は、コンテンツ出力部に対して優先出力されるメディアである優先メディアの優先出力スケジュールを管理する機能を有する。「優先出力されるメディア」とは、例えば、視聴予約や録画予約の対象となっている番組の放送時間になると、それまで出力していたコンテンツから切り替えて対象番組を出力するような場合における、その視聴予約や録画予約の対象となる番組の放送が該当する。
【００２４】
「優先出力スケジュール」とは、上述した視聴予約や録画予約などが該当する。優先出力スケジュールは、記憶装置などにテーブルとして保持しておくことができる。図２は、優先出力スケジュールの一例を示す図である。例えば、「ＢＳ１」のメディアにおいて、「１９：００−２１：００」の時間帯に、「視聴予約１」が設定されている。なお、優先出力スケジュールの管理とは、この予定を保持することのみならず、追加や削除、変更、更新などを行うことをいう。
【００２５】
判定部０１０４は、管理部で管理する優先メディアの出力と、再生部での記録メディア再生とが競合するか判定する機能を有する。「競合」とは、優先メディアの出力と記録メディアの再生とが、時間的に重なってしまうことをいう。図３は、「競合」の具体例を示す図である。例えば、「１９：００−２１：００」の時間帯に「視聴予約１」が設定されている場合に、すべて再生するのに１時間３０分要する記録メディアの再生を「１８：００」から開始したとする（ＣＡＳＥ１）。この場合には、「１９：００−１９：３０」の時間帯に、視聴予約１に係る番組の放送と記録メディアの再生とが時間的に重なる。また、「２２：３０−２３：３０」の時間帯に「視聴予約２」が設定されている場合に、先の例と同様の記録メディアの再生を「２２：００」から開始したとする（ＣＡＳＥ２）。この場合には、「２２：３０−２３：３０」の時間帯に、視聴予約２に係る番組の放送と記録メディアの再生とが時間的に重なる。このように競合するかの判定は、記録メディア再生に要する時間及び再生開始時刻と優先出力スケジュールなどの情報に基づいて行うことができる。
【００２６】
制御部０１０５は、競合するとの判定結果である場合に競合発生時間直前のチャプターにて記録メディア再生を停止させる機能を有する。「競合発生時間直前のチャプター」とは、競合が生じたときに再生中であるチャプターの一つ前のチャプターのことである。また、「チャプターにて再生を停止する」とは、チャプター単位で再生を停止するという意味である。
【００２７】
図４は、制御部の機能を説明するための図である。上述したＣＡＳＥ１を例に挙げて説明する。「１８：００」から開始した記録メディア再生は、１９：００からの視聴予約１と競合する。競合が生じた１９：００の時点で、記録メディアの再生は「チャプター５」に至っている。このとき、「競合発生時間直前のチャプター」は、「チャプター４」となる。したがって、制御部は、「チャプター４」の再生が終了したときに記録メディアの再生を停止させる。また、制御部は、優先メディアの出力が終了したときに、再生が停止されたチャプターの次のチャプターから記録メディアを再生させるための手段を有していてもよい。
【００２８】
ユーザにとっては、チャプターを見終わって一区切りついたところで再生が停止されるため、唐突に視聴が中断される場合に比べて不快を覚えることはない。また、競合が生じるまでの時間内において、チャプター単位での視聴を最大限行い得るのでストレスを感じることが少ない。
<実施形態１  ハードウェア構成>
【００２９】
図５は、本実施形態のコンテンツ再生装置の上記機能的構成をハードウェアとして実現した際の一例を表す図である。
【００３０】
図５に示すようにコンテンツ再生装置は、各種演算処理を実行し、再生部や管理部や判定部及び制御部を実現するためのＣＰＵ０５０１及び主メモリ０５０２を有する。また、コンテンツ及びチャプター情報、優先出力スケジュールなどを記憶する記憶装置０５０３や、コンテンツを出力するためのディスプレイ０５０４や、図示しないが放送波を受信するチューナや外部の記憶装置などとの接続を実現するためのＩ／Ｏ（インプット／アウトプット）などを有する。そして、それらがシステムバス０５０５などのデータ通信経路により相互に接続され、情報の送受信や処理などを行う。
【００３１】
また、主メモリにはプログラムが読み出され、ＣＰＵは読み出された当該プログラムを参照し、プログラムで示される手順に従い各種演算処理を実行する。また、主メモリや記憶装置にはそれぞれ複数のアドレスが割り当てられており、ＣＰＵの演算処理においては、そのアドレスを特定し格納されているデータにアクセスすることで、データを用いた演算処理を行うことが可能となっている。
【００３２】
コンテンツ再生装置において、ＣＰＵは判定プログラムを実行し、優先メディアの出力と記録メディアの再生とが競合するか判定する。そして、競合するとの判定結果を取得した場合には、制御プログラムを実行し、競合発生時間直前のチャプターにて記録メディアの再生を停止させる処理を行う。
<実施形態１  処理の流れ>
【００３３】
図６は、本実施形態のコンテンツ再生装置における処理の流れの一例を示すフローチャートである。なお、以下に示すステップは、上記のような計算機の各ハードウェア構成よって実行されるステップであってもよいし、媒体に記録され計算機を制御するためのプログラムを構成する処理ステップであってもよい。
【００３４】
図６に示すように、まず、記録メディアが再生される（ステップＳ０６０１）。そして、優先メディアの出力と記録メディア再生とが競合するかを判定する（ステップＳ０６０２）。そして、競合するとの判定結果の場合には、競合発生時間直前のチャプターにて記録メディアの再生を停止させる（ステップＳ０６０３）。
<実施形態１  効果>
【００３５】
本実施形態のコンテンツ再生装置により、きりの良いところで記録メディアの再生が自動的に停止されユーザの被るストレスを低減させることができる。
<実施形態２>
<実施形態２  概要>
【００３６】
本実施形態のコンテンツ再生装置は、記録メディアに対して早送りなどの操作がなされた場合に、改めて優先メディアの出力と記録メディア再生とが競合するかを判定する。このように構成することにより、記録メディアの再生に対する操作に応じた制御を行うことができる。
<実施形態２  構成>
【００３７】
本実施形態に係るコンテンツ再生装置の機能的ブロックの一例を図７に示す。コンテンツ再生装置０７００は、実施形態１を基本とし、コンテンツ出力部０７０１と、再生部０７０２と、管理部０７０３と、判定部０７０４と、制御部０７０５を有し、再生部は操作検知手段０７０６を有し、判定部は操作時判定手段０７０７を有する。操作検知手段及び操作時判定手段以外の各構成については、実施形態１におけるものと同様であるため、ここでの説明は省略する。
【００３８】
操作検知手段０７０６は、記録メディアの再生に対するユーザの操作を検知する機能を有する。操作検知手段は、例えば、ユーザの操作入力を受付けるリモコンなどの入力デバイスやＧＵＩ（グラフィカル・ユーザ・インターフェース）などにより実現される。そして、記録メディアの再生に対する操作として、例えば、早送り、巻き戻し、スキップなどがある。また、記録メディアを読み込み再生可能な状態とすることも再生に対する操作に含まれる。
【００３９】
操作時判定手段０７０７は、操作検知手段により操作が検知された場合には、優先メディアの出力と記録メディア再生とが競合するか判定する機能を有する。記録メディアの再生に対する操作がなされた場合には、再生状況に変化が生じる。すなわち、記録メディアの再生がすべて終了する時間が変動する。したがって、優先メディアの出力と記録メディア再生との競合が始まる時間についても変動が生じる。そこで、改めて競合するかを判定する。
【００４０】
このように構成することで、例えば、リムーバルディスクをドライブ装置にセットしたときや、録画番組一覧の中から所望の番組を選択したときなどのように、再生しようとする記録メディアを特定した段階で判定することができる。この段階で優先メディアの出力と競合が生じるか否かを知ることができるので、ユーザは、競合が生じないような他の記録メディアを選び直したり、競合が生じることを認識したうえで再生することができるので、優先メディアの出力に伴うストレスはさらに低減される。
<実施形態２  ハードウェア構成>
【００４１】
本実施形態のコンテンツ再生装置は、実施形態１で説明したハードウェア構成に準じて実現することができる。よって、ここでの説明は省略する。
<実施形態２  処理の流れ>
【００４２】
本実施形態のコンテンツ再生装置における処理の流れの一例を図８に示す。まず、記録メディアが再生される（ステップＳ０８０１）。そして、優先メディアの出力と記録メディア再生とが競合するかを判定する（ステップＳ０８０２）。そして、競合するとの判定結果の場合においてユーザの操作がなされたか検知する（ステップＳ０８０３）。ユーザの操作が検知された場合には、改めて優先メディアの出力と記録メディア再生とが競合するかの判定を行う。一方、ユーザの操作が検知されない場合には、競合発生時間直前のチャプターの終了時間が到来したかの判断を行う（ステップＳ０８０４）。前記終了時間が到来した場合には、競合発生時間直前のチャプターにて記録メディアの再生を停止させる（ステップＳ０８０５）。
<実施形態２  効果>
【００４３】
本実施形態のコンテンツ再生装置により、記録メディアの再生に対する操作に応じて、適宜記録メディア再生に対する制御が行われる。
<実施形態３>
<実施形態３  概要>
【００４４】
本実施形態は、優先メディア出力との競合開始時間の到来までに再生が可能な記録メディアのチャプターを表示する。ユーザは記録メディアの再生が中断されるまでの間に、どのチャプターまで視聴することができるかが事前に分かる。これにより再生中断に伴うストレスがより軽減される。
<実施形態３  構成>
【００４５】
本実施形態に係るコンテンツ再生装置の機能的ブロックの一例を図９に示す。コンテンツ再生装置０９００は、実施形態１又は２を基本とし、コンテンツ出力部０９０１と、操作検知手段０９０６を有する再生部０９０２と、管理部０９０３と、操作時判定手段０９０７を有する判定部０９０４と、制御部０９０５を有し、さらに、再生可能チャプター表示部０９０８を有する。再生可能チャプター表示部以外の各構成については、実施形態１又は２におけるものと同様であるため、ここでの説明は省略する。
【００４６】
再生可能チャプター表示部０９０８は、制御部が利用する競合発生直前のチャプターを示す情報に基づいて、前記競合開始時間の到来までに再生可能なチャプターを表示する機能を有する。
【００４７】
再度図４の例を用いて説明する。制御部は、競合が生じるとの判定結果である場合、競合が生じる１９：００にて再生中となるチャプター５の直前のチャプター４にて再生を停止させる。再生可能チャプター表示部は、この競合発生直前のチャプターであるチャプター４までが、競合開始時間の到来までに再生可能なチャプターであるとして表示する。これにより、ユーザはチャプター４まで視聴できることを事前に知ることができる。
<実施形態３  ハードウェア構成>
【００４８】
本実施形態のコンテンツ再生装置は、実施形態１又は２で説明したハードウェア構成に準じて実現することができる。よって、ここでの説明は省略する。
<実施形態３  処理の流れ>
【００４９】
本実施形態のコンテンツ再生装置における処理の流れは、実施形態１又は２における処理の流れに準じたものとなる。よって、ここでの説明は省略する。
<実施形態３  効果>
【００５０】
本実施形態のコンテンツ再生装置により、競合により記録メディアの再生が中断される場合、どのチャプターまで視聴することができるかが事前に分かり、再生中断に伴うストレスがより軽減される。
【符号の説明】
【００５１】
０１００  コンテンツ再生装置
０１０１  コンテンツ出力部
０１０２  再生部
０１０３  管理部
０１０４  判定部
０１０５  制御部
【図１】
2013123176.tif 000003
【図２】
2013123176.tif 000004
【図３】
2013123176.tif 000005
【図４】
2013123176.tif 000006
【図５】
2013123176.tif 000007
【図６】
2013123176.tif 000008
【図７】
2013123176.tif 000009
【図８】
2013123176.tif 000010
【図９】
2013123176.tif 000011